(57)【要約】【課題】給排気経路の閉塞検知機能を備えた燃焼装置において、閉塞検知精度の向上を図ること。【解決手段】第１熱源ユニット２と第２熱源ユニット３とを有し、両熱源ユニット２，３の排気通路が一つの排気筒１０１で構成された燃焼装置１であって、第２熱源ユニット３の第２給排気ファン３３を所定の閉塞検知回転数で作動させて第２熱源ユニット３の給排気経路が閉塞状態を判定するにあたって、閉塞検知が実行されるまでの第１熱源ユニット２の燃焼量及び燃焼時間、並びに第１熱源ユニット２の燃焼停止から閉塞検知が実行されるまでの経過時間に基づく抵抗係数を用いて基準電流値を調整する。【選択図】図１
2015140982.tif 000002
【特許請求の範囲】
【請求項１】
第１バーナ及び第１給排気ファンを備える第１熱源ユニットと、第２バーナ及び第２給排気ファンを備え、第１熱源ユニットよりも小燃焼能力の第２熱源ユニットと、両熱源ユニットの排気通路を共通にする一つの排気筒と、第２熱源ユニットの給排気経路の閉塞を検知するための制御装置とを有する燃焼装置であって、
前記制御装置は、第２熱源ユニットの燃焼運転終了時に第１熱源ユニットの燃焼運転が行われていない場合、第２給排気ファンを所定の閉塞検知回転数で作動させ、第２給排気ファンの電流値と所定の基準電流値とを比較して、第２熱源ユニットの給排気経路の閉塞を検知する閉塞検知制御部を備えており、
前記閉塞検知制御部は、閉塞検知が実行されるまでの第１熱源ユニットの燃焼量及び燃焼時間、並びに第１熱源ユニットの燃焼停止から閉塞検知が実行されるまでの経過時間に基づく抵抗係数を用いて基準電流値を調整する、燃焼装置。
【発明の詳細な説明】
【技術分野】
【０００１】
本発明は、バーナ及び給排気ファンを各別に備えた複数の熱源ユニットからの燃焼排気を共通の排気筒で排気する燃焼装置に関する。特に、本発明は、燃焼能力の小さい熱源ユニットにおける給排気経路の閉塞を検知する機能を備えた燃焼装置に関する。
【背景技術】
【０００２】
従来、バーナの燃焼が停止された後、給排気ファンを所定の回転数にて一定時間作動させる所謂ポストファンを実行し、そのときのファン電流と基準電流値との相違に基づいて給排気経路の閉塞度合を検知し、閉塞度合に応じて閉塞検知のための回転数を補正するように構成された燃焼装置が知られている（例えば、特許文献１参照）。
【先行技術文献】
【特許文献】
【０００３】
【特許文献１】特開２００３−１６１４３９号公報
【発明の概要】
【発明が解決しようとする課題】
【０００４】
ところで、上記特許文献１の燃焼装置は、単一のバーナ及び給排気ファンを備えたものであるが、近年、カランやシャワーなどの給湯栓へ湯を供給する給湯熱源ユニットと、温水暖房機や浴槽へ循環される湯水を加熱する暖房熱源ユニットとを備え、これら給湯熱源ユニットおよび暖房熱源ユニットの排気通路が共通する一つの排気筒で構成された燃焼装置が商品化されている。この種の燃焼装置では、端末での要求を考慮して、給湯熱源ユニットには、暖房側熱源ユニットよりも大きな燃焼能力を有するものが用いられており、それゆえ燃焼運転時における給湯熱源ユニットの給排気ファンの送風量も、暖房熱源ユニットの給排気ファンのそれよりも多くなるように設定されている。そのため、給湯熱源ユニットの燃焼運転中に給排気ファンの送風量が変動すると、暖房熱源ユニットの給排気ファンの電流値が大きく変動することから、小燃焼能力の暖房熱源ユニットにおける給排気経路の閉塞検知は、給湯熱源ユニットで燃焼運転が行われていないときに実行する必要がある。
【０００５】
しかしながら、給湯熱源ユニットで燃焼運転が行われていない場合でも、上記燃焼装置では共通の排気筒により各熱源ユニットからの排気が排出されるため、給湯熱源ユニットの燃焼運転が停止した直後であるか否かによって排気筒の温度に顕著な差が生じる。そして、給湯熱源ユニットの燃焼運転により排気筒の温度が高くなれば、その分、通気抵抗も大きくなるから、給湯熱源ユニットの燃焼運転が停止してから短時間内に暖房熱源ユニットの給排気経路の閉塞検知を行うと、給排気経路にごみ詰まりなどの閉塞が生じていないにもかかわらず、給排気ファンの電流値が変動して閉塞状態であると誤検知してしまう虞がある。この場合、排気筒に温度センサを設置し、排気筒内の温度に基づいて閉塞を検知する基準電流値を補正することも考えられるが、温度センサでは局所的な温度しか検知することができないため、給湯熱源ユニットの燃焼運転による通気抵抗への影響を精度よく評価できないという問題がある。
【０００６】
本発明は、上記課題を鑑みてなされたものであり、その目的は、給排気経路の閉塞検知機能を備えた燃焼装置において、閉塞検知精度の向上を図ることにある。
【課題を解決するための手段】
【０００７】
本発明は、第１バーナ及び第１給排気ファンを備える第１熱源ユニットと、第２バーナ及び第２給排気ファンを備え、第１熱源ユニットよりも小燃焼能力の第２熱源ユニットと、両熱源ユニットの排気通路を共通にする一つの排気筒と、第２熱源ユニットの給排気経路の閉塞を検知するための制御装置とを有する燃焼装置であって、前記制御装置は、第２熱源ユニットの燃焼運転終了時に第１熱源ユニットの燃焼運転が行われていない場合、第２給排気ファンを所定の閉塞検知回転数で作動させ、第２給排気ファンの電流値と所定の基準電流値とを比較して、第２熱源ユニットの給排気経路の閉塞を検知する閉塞検知制御部を備えており、前記閉塞検知制御部は、閉塞検知が実行されるまでの第１熱源ユニットの燃焼量及び燃焼時間、並びに第１熱源ユニットの燃焼停止から閉塞検知が実行されるまでの経過時間に基づく抵抗係数を用いて基準電流値を調整する、燃焼装置である。
【０００８】
このものでは、燃焼能力の大きな第１熱源ユニットで燃焼運転が行われていないときに燃焼能力の小さい第２熱源ユニットの給排気経路の閉塞検知が実行されるから、第１給排気ファンの送風量の変動による第２給排気ファンの電流値への影響を排除することができる。また、閉塞検知にあたって、第２熱源ユニットの閉塞検知が開始されるまでの第１熱源ユニットの燃焼量及び燃焼時間、並びに第１熱源ユニットの燃焼停止から閉塞検知が開始されるまでの経過時間に基づく抵抗係数を利用して基準電流値を調整するから、第１熱源ユニットの燃焼運転に起因した第２熱源ユニットの給排気経路における通気抵抗への影響を考慮して閉塞を判定することができる。これにより、第１熱源ユニットの燃焼運転が停止してから短時間内に第２熱源ユニットの給排気経路の閉塞検知が実行されても、誤検知が生じ難い。
【発明の効果】
【０００９】
以上のように、本発明によれば、第１熱源ユニットの燃焼運転が停止してから短時間内に閉塞検知が実行されても、第２熱源ユニットの給排気経路の閉塞の誤検知が生じ難いから、高精度で閉塞検知を行うことができる。
【図面の簡単な説明】
【００１０】
【図１】図１は、本発明の実施の形態に係る燃焼装置の概略構成図である。
【図２】図２は、給湯熱源ユニットの給湯熱量に応じて設定される抵抗係数および加減算係数を示す表である。
【図３】図３は、給排気ファンの電流値と回転数との関係を示すグラフである。
【発明を実施するための形態】
【００１１】
次に、上記した本発明を実施するための形態について、添付図面を参照しながら詳述する。
図１に示すように、本実施の形態に係る燃焼装置１は、上水道から供給される水を加熱し、カランやシャワーなどの給湯栓Ｐ２へ供給する給湯熱源ユニット（第１熱源ユニット）２と、温水暖房機Ｐ３や浴槽Ｐ４へ循環される湯水を加熱する暖房熱源ユニット（第２熱源ユニット）３とが一体的に構成された複合給湯装置である。
【００１２】
本体ケース１０には、給湯熱源ユニット２および暖房熱源ユニット３の内部で生成された燃焼排ガスを外部へ導出するための共通の排気通路となる排気筒１０１と、給湯熱源ユニット２および暖房熱源ユニット３の内部へ各別にバーナ２２，３２の燃焼用空気を導入するための給気口１０２，１０３とが設けられている。
【００１３】
給湯熱源ユニット２の缶体２０内には、給水配管１２１から供給される水を燃焼排ガスとの熱交換により加熱し、給湯配管１２２を通じて給湯栓Ｐ２へ導出する給湯熱交換器（第１熱交換器）２１と、ガス配管１５１からバルブユニット１５０を介して供給される燃料ガスを燃焼用空気と混合して燃焼させ、燃焼排ガスを生成する給湯バーナ（第１バーナ）２２とが組み込まれている。また、缶体２０の下部には、給湯バーナ２２へ燃焼用空気を送り込む給排気ファン（第１給排気ファン、以下、「給湯ファン」という）２３が設けられており、給湯ファン２３を作動させることで、本体ケース１０外の空気が給気口１０２から缶体２０内へ導入され、さらに排気筒１０１を通じて本体ケース１０の外部へ導出される。従って、給気口１０２から缶体２０の内部空間（図中、右側）を通じて排気筒１０１の出口に至るまでが、給湯熱源ユニット２の給排気経路を構成する。
【００１４】
暖房熱源ユニット３の缶体３０内には、温水暖房機Ｐ３から暖房戻り配管１３１を通じて導入される湯水を燃焼排ガスとの熱交換により加熱し、再び暖房往き配管１３２を通じて温水暖房機Ｐ３へ導出する暖房熱交換器（第２熱交換器）３１と、ガス配管１５１からバルブユニット１５０を介して供給される燃料ガスを燃焼用空気と混合して燃焼させ、燃焼排ガスを生成する暖房バーナ（第２バーナ）３２とが組み込まれている。また、缶体２０の下部には、暖房バーナ２２へ燃焼用空気を送り込む給排気ファン（第２給排気ファン、以下、「暖房ファン」という）３３が設けられており、暖房ファン３３を作動させることで、本体ケース１０外の空気が給気口１０３から缶体３０内へ導入され、さらに排気筒１０１を通じて本体ケース１０の外部へ導出される。従って、給気口１０３から缶体３０の内部空間（図中、左側）を通じて排気筒１０１の出口に至るまでが、給湯熱源ユニット２の給排気経路を構成する。尚、図示しないが、給湯ファン２３および暖房ファン３３には、ファンの回転数を検知する回転数センサが各別に設けられている。
【００１５】
給湯バーナ２２は、燃焼量の最も大きい大燃焼部と、大燃焼部より燃焼量の小さい中燃焼部と、さらに中燃焼部より燃焼量の小さい小燃焼部とで構成されている。一方、バルブユニット１５０は、給湯バーナ２２の各燃焼部への燃料ガスの供給を遮断可能な複数の給湯ガス遮断弁１５２と、暖房バーナ３２への燃料ガスの供給を遮断可能な暖房ガス遮断弁１５３とを備えている。
【００１６】
また、バルブユニット１５０は、両バーナ２２，３２への燃料ガスの供給を遮断可能なガス元弁１６と、給湯バーナ２２への燃料ガスの供給量を調整可能なガス比例弁１７と、暖房バーナ３２への燃料ガスの供給量を調整可能なガス比例弁１８とを備えており、ガス元弁１６が開かれた状態でガス比例弁１７，１８の開度を調整することで給湯バーナ２２や暖房バーナ３２の燃焼量が増減される。
【００１７】
給水配管１２１には、給湯熱交換器２１へ供給される水の水量を検出する水量センサ２４と、給湯熱交換器２１への水の供給量を調整可能な水量調整弁２５と、給水配管１２１に供給された水の一部を給湯熱交換器２１を介さず給湯配管１２２へ分流させる湯水混合弁２６とが設けられている。
【００１８】
暖房戻り配管１３１には、温水暖房機Ｐ３の熱交換器Ｐ３１と暖房熱交換器３１との間で湯水を循環させる暖房循環ポンプ３４が設けられている。また、暖房戻り配管１３１および暖房往き配管１３２の中間部相互間には、浴槽Ｐ４の風呂水を熱交換器Ｐ３１から循環供給される湯との熱交換により加熱する内外二重管構造の液々熱交換器３５が分岐配管１３３を介して接続されている。尚、分岐配管１３３は、液々熱交換器３５の内パイプに接続されている。
【００１９】
液々熱交換器３５の外パイプには、浴槽Ｐ４から延設される風呂戻り配管１４１および風呂往き配管１４２が接続されている。また、風呂戻り配管１４１には、浴槽Ｐ４と液々熱交換器３５との間で風呂水を循環させる風呂循環ポンプ３６と、風呂循環ポンプ３６の作動により生じた水流に応じてオンオフする水流スイッチ３７とが設けられている。
【００２０】
本体ケース１０内には、給湯熱源ユニット２および暖房熱源ユニット３の動作を各別に制御する制御回路４が組み込まれており、給湯バーナ２２の点火プラグ、給湯ファン２３、暖房バーナ３２の点火プラグ、暖房ファン３３、給湯ガス遮断弁１５２、暖房ガス遮断弁１５３、ガス元弁１６、ガス比例弁１７，１８、水量センサ２４、水量調整弁２５、暖房循環ポンプ３４、風呂循環ポンプ３６、水流スイッチ３７は、それぞれ図示しない電気配線を通じて制御回路４に接続されている。
【００２１】
図示しないが、制御回路４は、給湯バーナ２２および暖房バーナ３２の点火や消火、燃焼量の調整を行う燃焼制御部、水量調整弁２５および湯水混合弁２６による出湯温の調整を行う出湯制御部、給湯ファン２３および暖房ファン３３の動作を制御する給排気制御部、給気口２０２，２０３から缶体２０，３０内を通って排気筒１０１の出口に至る給排気経路の閉塞度合を検知する閉塞検知機能部等の回路構成を有している。
【００２２】
詳述すると、燃焼制御部は、給湯栓Ｐ２が開かれて水量センサ２４の検知水量が最低作動水量以上となった場合に、給湯バーナ２２の点火プラグから火花放電させると共に、給湯ガス遮断弁１５２およびガス元弁１６を開き、給湯バーナ２２の燃焼量が目標燃焼量となるよう、ガス比例弁１７を目標開度に調整する。また、温水暖房機Ｐ３にて暖房運転の指示がなされた場合、或いは、図示しない操作端末にて浴槽Ｐ４の追焚運転の指示がなされた場合は、暖房バーナ３２の点火プラグから火花放電させると共に、暖房ガス遮断弁１５３およびガス元弁１６を開き、暖房バーナ３２の燃焼量が目標燃焼量となるよう、ガス比例弁１８を目標開度に調整する。
【００２３】
出湯制御部は、給湯栓Ｐ２が開かれて水量センサ２４の検知水量が最低作動水量以上となった場合に、給湯熱交換器２１から給湯配管１２２へ導出される湯の温度が操作端末で設定された出湯温度となるよう、水量調整弁２５および湯水混合弁２６の開度を調整する。また、温水暖房機Ｐ３にて暖房運転の指示がなされた場合には、暖房循環ポンプ３４を作動させる一方、操作端末にて浴槽Ｐ４の追焚運転の指示がなされた場合は、暖房循環ポンプ３４および風呂循環ポンプ３６を作動させる。
【００２４】
給排気制御部は、給湯バーナ２２の燃焼量に対応する給湯ファン２３の目標回転数を設定し、水量センサ２４の検知水量が最低作動水量以上になった場合に、その目標回転数に対応する電流値にて給湯ファン２３を作動させる。また、給排気制御部は、暖房バーナ３２の燃焼量に対応する暖房ファン３３の目標回転数を設定し、温水暖房機Ｐ３にて暖房運転の指示がなされた場合、或いは、操作端末にて浴槽Ｐ４の追焚運転の指示がなされた場合には、その目標回転数に対応する電流値にて暖房ファン３３を作動させる。尚、給排気制御部では、給湯ファン２３または暖房ファン３３のいずれか一方を作動させた場合、他方を作動させるように設定されており、これによって、給湯熱源ユニット２の缶体２０から暖房熱源ユニット３の缶体３０内への燃焼排ガスの逆流、および、暖房熱源ユニット３の缶体３０から給湯熱源ユニット２の缶体２０内への燃焼排ガスの逆流を防止している。
【００２５】
閉塞検知制御部は、給湯熱源ユニット２の燃焼運転が停止した状態において、暖房バーナ３２が消火されると、図示しない回転数センサの検知回転数が予め設定された閉塞検知回転数（例えば、燃焼運転中の最大回転数の１２０％）と一致するよう暖房ファン３３の回転数を調整し、それら回転数相互が一致したときの暖房ファン３３の実電流値Ａ１が基準電流値Ａｓより低いか否かを判定する閉塞検知を実行する。
【００２６】
また、閉塞検知制御部は、上記基準電流値Ａｓを閉塞検知が実行されるまでの給湯熱源ユニット２の燃焼運転に応じた抵抗係数を求め、下記の式（１）に基づき、基準電流値Ａｓを調整する基準調整部を有している。
【００２７】
Ａｓ＝Ａｓ０×｛１−（Ｓｍ×Ｓｒ／１００）｝・・・（１）
【００２８】
上記式中、初期の基準電流値Ａｓ０は、閉塞のない初期の定常状態（室温）下、所定の閉塞検知回転数で暖房ファン３３を回転させたときの判定電流値である。また、最大補正係数Ｓｍは、暖房ファン３３の給排気能力や給排気経路の構造を考慮して設定された１より小さい定数（例えば、０．０５）であり、操作端末や本体ケース１０内に組み込まれた操作スイッチによって、施工者が所定範囲（例えば、０．０１〜０．１０）内で任意に設定できる。
【００２９】
さらに、抵抗係数Ｓｒは、給湯熱源ユニット２の給湯熱量等に基づいて求められる係数である。具体的には、図２に示すように、給湯熱源ユニット２の燃焼運転が開始されると、まず、燃焼運転開始時の給湯熱量に対応する抵抗係数Ｓｒがデータテーブルの中から選定される（例えば、給湯熱量が３ｋｗの場合は「６０」）。そして、選定された抵抗係数Ｓｒを上限として、上記給湯熱量での給湯熱源ユニット２の燃焼運転が終了するまで単位時間毎に加減算係数Ｓｅ（例えば、２／秒）を加算していく。
【００３０】
また、給湯熱源ユニット２の燃焼運転中に給湯熱量が増加した場合は、その増加した給湯熱量に対応する抵抗係数Ｓｒ（例えば、給湯熱量が３ｋＷから４ｋｗに増加した場合は「８０」）を上限として、増加した給湯熱量での給湯熱源ユニット２の燃焼運転が終了するまで単位時間毎に加減算係数Ｓｅ（例えば、２／秒）を加算していく。即ち、次式（２）に基づき、抵抗係数Ｓｒが演算される。
【００３１】
Ｓｒ＝Ｓｒ＋Ｔ１×Ｓｅ・・・（２）
【００３２】
上記式中、Ｔ１は、変更後の給湯熱量での給湯バーナ２２の燃焼時間である。
一方、給湯熱源ユニット２の燃焼運転中に給湯熱量が減少した場合は、積算値Ｓｒがその減少した給湯熱量に対応する抵抗係数Ｓｒ（例えば、給湯熱量が３ｋＷから２ｋｗに減少した場合は「４０」）となるよう、減少した給湯熱量での給湯熱源ユニット２の燃焼運転が終了するまで単位時間毎に加減算係数Ｓｅ（例えば、２／秒）を減算していく。即ち、次式（３）に基づき、抵抗係数Ｓｒが演算される。
【００３３】
Ｓｒ＝Ｓｒ−Ｔ１×Ｓｅ・・・（３）
【００３４】
上記式中、Ｔ１は、変更後の給湯熱量での給湯バーナ２２の燃焼時間である。尚、給湯熱量がない、すなわち給湯熱源ユニット２が燃焼運転されていない場合、新たな燃焼排ガスが排気筒１０１に排出されないため、抵抗係数Ｓｒの下限値は「０」に設定されている。従って、閉塞検知が実行されるより所定時間（例えば、３０秒間）以上前に、給湯熱源ユニット２の燃焼運転が終了している場合には、初期の基準電流値Ａｓ０が基準電流値Ａｓとして使用される。
【００３５】
また、給湯熱源ユニット２の燃焼運転が停止し、給湯熱量が０になった場合は、暖房バーナ３２が消火されるまで単位時間毎に加減算係数Ｓｅ（例えば、１／秒）を減算していく。即ち、次式（４）に基づき、抵抗係数Ｓｒが演算される。
【００３６】
Ｓｒ＝Ｓｒ−Ｔ２×Ｓｅ・・・（４）
【００３７】
上記式中、Ｔ２は、閉塞検知が実行されるまでの給湯バーナ２２の停止時間である。
従って、例えば、給湯熱源ユニット２が給湯熱量３ｋＷで３０秒間以上燃焼運転を継続し、さらに５秒間、給湯熱量を４ｋＷに増加させて燃焼運転を終了し、３０秒間経過した後、閉塞検知が実行される場合に設定される調整後の基準電流値Ａｓは、次式（５）のように算出される。
【００３８】
Ａｓ＝Ａｓ０×［１−Ｓｍ｛６０＋（２×５）−（１×３０）｝／１００］・・・（５）
【００３９】
図３は、本実施の形態の燃焼装置１における暖房ファン３３の回転数と電流値との関係の一例を示すグラフであり、横軸が暖房ファン３３の回転数に設定され、縦軸が電流値に設定されている。図中、５０は、暖房熱源ユニット３の給排気経路に閉塞のない初期の定常状態（室温）下における暖房ファン３３の回転数と実電流Ａ１との関係を示す特性ラインである。また、５１及び５２はそれぞれ、給湯熱源ユニット２の燃焼運転の影響がない場合、すなわち、抵抗係数が０の場合の初期の基準電流値Ａｓ０の補正開始及び終了ラインであり、５３及び５４は、給湯熱源ユニット２が所定時間、燃焼運転されていた場合の上記抵抗係数Ｓｒを考慮した調整後の基準電流値Ａｓの補正開始及び終了ラインである。
【００４０】
従って、給湯熱源ユニット２で燃焼運転が行われておらず、暖房熱源ユニット３のみで燃焼運転が行われている場合、給湯熱源ユニット２の燃焼排ガスによって排気筒１０１内の温度は上昇しないため、補正開始ライン５１に基づいて、暖房熱源ユニット２の給排気経路の閉塞検知が実行される。例えば、初期の定常状態（室温）下における閉塞検知回転数に対応する暖房ファン３３の実電流値Ａ１が「８００ｍＡ」に設定され、給湯熱源ユニット２が燃焼運転されていない場合の基準電流値Ａｓが「７００ｍＡ」に設定されている場合、暖房ファン３３の実電流値Ａ１が７００ｍＡ以下になると、給排気経路がある程度、閉塞し始めたと判定して、補正開始ライン５３に基づいて、暖房ファン３３の閉塞検知回転数を増加させ、初期と略同一の電流値で閉塞検知を継続する。そして、暖房熱源ユニット３の給排気経路の閉塞が進行して、閉塞検知回転数を増加させても、補正終了ライン５２以下まで実電流値Ａ１が低下すれば、閉塞が顕著になったとして、図示しない操作端末や燃焼装置１に組み込まれた音声出力部から異常を報知させる。
【００４１】
また、給湯熱源ユニット２及び暖房熱源ユニット３の両方で燃焼運転が行われ、同時に燃焼運転が終了した場合あるいは給湯熱源ユニット２が暖房熱源ユニット３よりも先に燃焼運転が終了した場合、給湯熱源ユニット２からの燃焼排ガスの排出により排気筒１０１などの温度が上昇しているため、給湯ファン２３が作動していなくても、暖房熱源ユニット３の給排気経路の通気抵抗が増加する。それゆえ、初期と同一の閉塞検知回転数で暖房ファン３３を作動させると、暖房熱源ユニット３内に取り込まれる空気の量が減少して実電流値Ａ１が低下する。その結果、初期の基準電流値Ａｓ０に基づいて閉塞検知を判定した場合、暖房熱源ユニット３の内の給排気経路の閉塞度合が小さくても、閉塞が生じたと誤検知する虞がある。このため、上記のような給湯熱源ユニット２の燃焼運転による通気抵抗への影響が考慮される場合、既述した給湯熱源ユニット２の給湯熱量及び燃焼時間、並びに給湯熱源ユニット２の燃焼停止から閉塞検知が実行されるまでの経過時間に基づく抵抗係数Ｓｒを利用して求められる調整後の基準電流値Ａｓの補正開始及び終了ライン５３，５４により閉塞検知を実行する。
【００４２】
例えば、給湯熱源ユニット２が給湯熱量３ｋＷで３０秒間以上燃焼運転され、さらに５秒間、給湯熱量を４ｋＷに増加させて燃焼運転を終了した後、閉塞検知が実行されるまでに３０秒間経過した場合、初期の定常状態（室温）下の閉塞検知回転数に対応する基準電流値Ａｓ０が「７００ｍＡ」であれば、調整後の基準電流値Ａｓは「６８６ｍＡ」となり、この調整後の基準電流値Ａｓに基づいて閉塞検知が実行される。そして、暖房ファン３３の実電流Ａ１が調整後の基準電流値Ａｓ以下になると、給湯熱源ユニット２で燃焼運転が行われていなかった場合と同様に、補正開始ライン５３に基づいて暖房ファン３３の閉塞検知回転数を増加させ、補正終了ライン５４以下まで実電流値Ａ１が低下すると、閉塞が顕著になったとして、図示しない操作端末や燃焼装置１に組み込まれた音声出力部から異常を報知させる。
【００４３】
このように、上記実施の形態によれば、燃焼能力の大きな給湯熱源ユニット２で燃焼運転が行われていないときに燃焼能力の小さい暖房熱源ユニット３の給排気経路の閉塞検知が実行されるから、給湯ファン２３の送風量の変動による暖房ファン３３の電流値への影響を排除することができる。また、閉塞検知にあたって、閉塞検知が実行されるまでの給湯熱源ユニット２の燃焼量及び燃焼時間に基づく抵抗係数Ｓｒが大きければ、その分、閉塞判定の基準電流値Ａｓが低く設定されるから、給湯熱源ユニット２の燃焼運転が停止した直後で、排気筒１０１が高温になっていたとしても、給排気経路が閉塞状態であると誤検知され難い。よって、閉塞検知精度が向上する。
【００４４】
さらに、このものでは、閉塞検知が実行されるまでの給湯熱源ユニット２の燃焼停止時間Ｔ２が短く、排気筒１０１の温度が高ければ、その分、閉塞判定の基準電流値Ａｓが低く設定されるから、給排気経路の閉塞を正確に検知できる。よって、閉塞検知精度が一層向上する。
【００４５】
また、このものでは、暖房熱源ユニット３の給排気経路の閉塞が進んで、閉塞検知における暖房ファン３３の電流値が低下すると、閉塞検知回転数を増加させるから、閉塞度合に応じて判定を行うことができる。
【００４６】
なお、上記閉塞検知において暖房ファン３３の実電流値Ａ１が基準となる補正終了ライン以下まで低下した場合は、図示しない音声出力部から異常を報知させると共に、暖房熱源ユニット３の燃焼運転の再開を禁止させる制御構成とするのが好ましい。このものでは、給排気経路が閉塞した異常状態で暖房熱源ユニット３の燃焼運転が再開されるのを防止できるから、安全性が向上する。また、このものにおいて、図示しない操作端末や制御回路４にリセット操作部が設けられ、暖房熱源ユニット３の燃焼運転の再開が禁止された場合に、上記リセット操作部を操作することで、燃焼運転の禁止状態が解除されるように構成してもよい。
【符号の説明】
【００４７】
１      燃焼装置
１０    本体ケース
１０１  排気筒
２      給湯熱源ユニット（第１熱源ユニット）
２２    給湯バーナ（第１バーナ）
２３    給湯ファン（第１給排気ファン）
３      暖房熱源ユニット（第２熱源ユニット）
３２    暖房バーナ（第２バーナ）
３３    暖房ファン（第２給排気ファン）
４      制御回路
Ｐ２    給湯栓
Ｐ３    温水暖房機
Ｐ４    浴槽
【図１】
2015140982.tif 000003
【図２】
2015140982.tif 000004
【図３】
2015140982.tif 000005